(57)【要約】【課題】組版情報から死亡記事を自動収集してホームページやメール用に編集可能とする。【解決手段】ローカル組版装置１０において、死亡記事識別部２２は新聞組版から死亡記事の開始と終了を示す特殊記号を検索することで死亡記事を抽出し、関連記事収集部２４はと死亡記事から特定した死亡者名をキーに、新聞組版の他の記事領域、組版以降で所定期間に作成される他の新聞組版を検索して関連記事を抽出する。センター装置１２側のホームページ編集部３８は死亡記事及び関連記事をホームページ用に編集して公開させる。【選択図】          図１
2004280347.tif 000002
【特許請求の範囲】
【請求項１】
死亡記事識別部により、新聞組版から死亡記事の開始と終了を示す特殊記号を検索することで死亡記事を抽出する死亡記事識別ステップと、
関連記事収集部により、死亡記事から特定した死亡者名をキーに、前記新聞組版の他の記事領域、前記組版以降で所定期間に作成される他の新聞組版を検索して関連記事を抽出する関連記事収集ステップと、
編集部により、前記死亡記事及び関連記事を編集して公開する編集ステップと、
を備えたことを特徴とする死亡記事収集方法。
【請求項２】
請求項１記載の死亡記事収集方法に於いて、
前記死亡記事識別ステップは、死亡記事の人名により紳士録データベースを参照して死亡者に関連する出身地、勤務地、出身校を含む地域情報を特定し、
前記編集ステップは、前記死亡者の地域情報に基づき死亡記事を編集して公開することを特徴とする死亡記事収集方法。
【請求項３】
新聞組版から死亡記事の開始と終了を示す特殊記号を検索することで死亡記事を抽出する死亡記事識別部と、
前記死亡記事から特定した死亡者名をキーに、前記新聞組版の他の記事領域、前記組版以降で所定期間に作成される他の新聞組版を検索して関連記事を抽出する関連記事収集部と、
前記死亡記事及び関連記事を編集して公開させる編集部と、
を備えたことを特徴とする死亡記事収集装置。
【発明の詳細な説明】
【０００１】
【発明の属する技術分野】
本発明は、全国各地の新聞から死亡情報を自動収集して会員制のホームページに掲載する死亡記事収集方法及び装置に関する。
【０００２】
【従来の技術】
従来、新聞に掲載される死亡記事は、全国紙にあっては、社会的な貢献度の高い人物が主に掲載され、また地方紙にあっては、その地域社会に貢献された人物を主に掲載しており、個人は勿論のこと会社等の各種団体においては死亡記事の活用により、必要な対応を適切にとることができる。
【０００３】
このような死亡記事の社会的なニーズに伴い新聞社においても購読者サービスの一環として死亡記事をまとめ、利用者の要求に対応した死亡記事を会員制のホームページに公開したり、電子メールで会員に配信するサービスの構築が考えられている。
【０００４】
【特許文献１】
特開平９‐２６２９５７号公報
【０００５】
【発明が解決しようとする課題】
しかしながら、このような死亡記事を収集して配信する場合、新聞社の担当者が手作業で死亡記事をチェックして収集する方法が考えられるが、効率が悪いという問題がある。特に、死亡記事は全国紙のみならず、新聞によっては４７都道府県の地方版毎に地域別の死亡記事を掲載しており、これら地方版の死亡記事を全てチェックして収集する作業は相当な手間と時間がかかる。
【０００６】
またホームページをもっている新聞社については、ホームページを閲覧することで、全国紙及び地方版の死亡記事を比較的容易に収集することができるが、ホームページに死亡記事をアップしていない新聞社もあり、死亡記事の収集が確実にできないという問題がある。
【０００７】
本発明は、組版情報から死亡記事を自動収集してホームページやメール用に編集可能とする死亡記事収集方法及び装置を提供することを目的とする。
【０００８】
【課題を解決するための手段】
本発明は、死亡記事収集方法を提供するものであり、この死亡記事収集方法は、
死亡記事識別部により、新聞組版から死亡記事の開始と終了を示す特殊記号を検索することで死亡記事を抽出する死亡記事識別ステップと、
死亡記事から特定した死亡者名をキーに、新聞組版の他の記事領域、組版以降で所定期間に作成される他の新聞組版を検索して関連記事を抽出する関連記事収集ステップと、
編集部により、死亡記事及び関連記事を編集して公開する編集ステップと、
を備えたことを特徴とする。
【０００９】
このように本発明は、新聞組版に死亡記事の開始と終了を示す特殊記号が付加されている点に着目し、この死亡記事の特殊記号を利用して死亡記事を組版情報から検索して死亡記事を自動収集し、会員制のホームページ用やメール用に編集でき、人為的な作業を必要とすることなく、全国版および地方版から死亡記事を収集して公開することができる。
【００１０】
また死亡記事に伴い追悼記事や特集が掲載される場合もあるので、死亡記事の特異な文構成を利用し、自動抽出された死亡記事内の死亡者名をキーとして関連記事を自動収集して会員制のホームページ用やメール用に編集して公開できる。この関連記事の収集は死亡記事抽出日から例えば２週間というように期限付きで行われ、関連記事を確実に収集する。
【００１１】
死亡記事識別ステップは、死亡記事の人名により紳士録データベースを参照して死亡者に関連する出身地、勤務地、出身校を含む地域情報を特定し、編集ステップは、前記死亡者の地域情報に基づき死亡記事を編集して公開する。このように紳士録データベースの参照により死亡者の出身地、勤務地、出身校等の地域情報を特定し、死亡記事を地域分類してホームページに掲載したり、メールで会員に配信する。
【００１２】
死亡記事識別ステップは、地方新聞社の各々で作成された新聞組版を対象に死亡記事を抽出し、編集ステップは、地方新聞社の新聞組版から抽出された死亡記事をセンターで収集することにより、編集して公開することを特徴とする。これにより全国紙の地方局や地方新聞社とのネットワーク接続により、オンラインでセンターに全地域の死亡記事を自動収集して会員制のホームページ用に編集して公開できる。
【００１３】
本発明は、新聞組版を処理する側のコンピュータにより実行されるプログラムを提供する。このプログラムは、コンピュータに、
新聞組版から死亡記事の開始と終了を示す特殊記号を検索することで死亡記事を抽出する死亡記事識別ステップと、
死亡記事から特定した死亡者名をキーに、新聞組版の他の記事領域、組版以降で所定期間に作成される他の新聞組版を検索して関連記事を抽出する関連記事収集ステップと、
死亡記事及び関連記事を編集装置に送信してホームページ用に編集して公開させる送信ステップと、
を実行させることを特徴とする。
【００１４】
本発明は、死亡記事収集装置を提供する。この死亡記事収集装置は、新聞組版から死亡記事の開始と終了を示す特殊記号を検索することで死亡記事を抽出する死亡記事識別部と、死亡記事から特定した死亡者名をキーに、新聞組版の他の記事領域、組版以降で所定期間に作成される他の新聞組版を検索して関連記事を抽出する関連記事収集部と、死亡記事及び関連記事をホームページ用に編集して公開させる編集部とを備えたことを特徴とする。
【００１５】
【発明の実施の形態】
図１は、本発明による死亡記事収集装置の機能構成を示したブロック図である。図１において、本発明による死亡記事収集装置は、ローカル組版装置１０とセンター装置１２を備え、両者はネットワーク１４を介して接続されている。ローカル組版装置１０は全国紙を発行している新聞社を例にとると、例えば都道府県単位に設置された地方局に設置された装置である。これに対しセンター装置１２は例えば本社地区に設置された装置である。
【００１６】
図１にあってはローカル組版装置１０を１つしか接続していないが、実際にはネットワーク１４を介して多数のローカル組版装置１０がセンター装置１２に接続されている。センター装置１２にはインターネット１６を介して会員装置１８が接続されている。
【００１７】
ローカル組版装置１０は新聞組版から死亡記事を自動的に収集してネットワーク１４を介してセンター装置１２に送り、センター装置１２は多数のローカル組版装置１０から収集した死亡記事を編集して、会員専用のホームページや会員用のメール配信を行う。
【００１８】
ローカル組版装置１０には組版処理部２０、死亡記事識別部２２、関連記事収集部２４及び送受信部２６が設けられている。また死亡記事識別部２２及び関連記事収集部２４による処理のため紳士録データベース２８、キーワードテーブル３０、死亡者情報テーブル３２、記事情報テーブル３４更に関連記事収集テーブル３５ａを設けている。
【００１９】
一方、センター装置１２には送受信部３６、ホームページ編集部３８、関連記事作成部４０及びメール部４２が設けられている。またホームページ編集部３８及び関連記事作成部４０の処理に必要な情報として、記事情報テーブル３４ａ、会員情報テーブル４４、関連記事収集テーブル３５、登録期限テーブル４６及び記事待ち情報テーブル４５を設けている。
【００２０】
尚、ローカル組版装置１０の記事情報テーブル３４はネットワーク１４を介してセンター装置１２に送られることで記事情報テーブル３４ａとなる。この記事情報テーブル３４ａには複数のローカル組版装置１０からの記事情報テーブル３４が格納されることになる。
【００２１】
この関係はセンター装置１２の関連記事情報テーブル３５とローカル組版装置１０の関連記事収集テーブル３５ａについても同様である。センター装置１２の関連記事収集テーブル３５はセンター装置１２側で作成された情報であり、これがネットワーク１４を介して対応するローカル組版装置１０に送られることで関連記事収集テーブル３５ａとなる。
【００２２】
ローカル組版装置１０に設けた死亡記事識別部２２は新聞組版から死亡記事の開始と終了を示す特殊符号を検出することで死亡記事を自動的に抽出する。図２（Ａ）は死亡記事識別部２２により抽出対象ととする組版死亡記事５６であり、この組版死亡記事５６の中には死亡者の氏名「富士通太郎」の開始位置を示す特殊符号９０と死亡者氏名の終了位置を示す特殊符号９２が含まれている。
【００２３】
従ってひとつの死亡記事の単位は次の死亡者氏名「富士通次郎」の開始位置を示す特殊符号９０の直前までとなる。尚、最後の死亡記事は記事データの最終位置までとなる。このような組版死亡記事５６に含まれている死亡者氏名の開始位置を示す特殊符号９０と死亡者氏名終了位置を示す特殊符号９２により、組版情報から自動的に死亡記事を自動収集する。
【００２４】
図２（Ｂ）は、図２（Ａ）の組版死亡記事５６から作成された新聞紙面の掲載死亡記事５８である。更に、死亡記事に伴い同じ新聞組版の他の記事領域或いは死亡記事を掲載した組版以降で所定期間に作成される組版を対象に図２（Ｃ）の掲載関連記事６０が収集される。
【００２５】
このような組版死亡記事の検索により死亡記事が抽出されると、死亡者情報テーブル３２が作成され、また記事情報テーブル３４に抽出した記事情報が格納される。更に死亡記事識別部２２は抽出された死亡記事の人名により紳士録データベース２８を参照して死亡者に関連する出身地、勤務地、出身校などの地域情報を特定して、死亡者情報テーブル３２に格納する。
【００２６】
この死亡者情報テーブル３２に格納された死亡者の地域情報はセンター装置１２のホームページ編集部３８において死亡者の地域情報に基づいて死亡記事を編集して公開するために使用される。
【００２７】
ローカル組版装置１０に設けられた関連記事収集部２４は死亡記事から特定した死亡者名をキーに新聞組版の他の記事領域あるいは死亡記事を抽出した組版以降で所定期間で作成される他の新聞組版を検索して関連記事を抽出し、この関連記事をセンター装置１２に送り、関連記事作成部４０で関連記事を作成し、ホームページ編集部３８に与えてホームページに編集するか、メール部４２で会員に対する配信メールを行わせる。
【００２８】
この関連記事収集のために関連記事収集テーブル３５ａの情報が使用されるが、この関連記事収集テーブル３５ａの情報はセンター装置１２の関連記事作成部４０において死亡記事から得られた死亡者名をキーに作成され、これがローカル組版装置１０に送られて関連記事の収集が行われることになる。
【００２９】
続いて図３〜図１０を参照してローカル組版装置１０及びセンター装置１２に格納されているデータベース及び情報テーブルの詳細を説明する。
【００３０】
図３は、図１のローカル組版装置１０に設けている死亡者情報テーブル３２の説明図である。この死亡者情報テーブル３２は抽出された死亡記事から得られた死亡者の氏名さらにテーブル末尾の新聞社名および新聞社地域情報が格納される。また紳士録データベース２８を死亡者名をキーに検索して得られた結果から、もし紳士録データベース２８に登録があれば死亡者フラグを「有名」にセットする。
【００３１】
また喪主名をキーとした紳士録データベース２８の検索により、例えば紳士録データベース２８に登録がなければ、例えば「無名」をセットする。また紳士録データベース２８の死亡者名をキーとした検索により得られた情報から死亡者地域情報として出身地、勤務地、大学、高校、中学の各情報を登録している。
【００３２】
同様に喪主についても喪主名をキーとした紳士録データベース２８でもし登録があれば喪主地域情報として出身地、勤務地、大学、高校、中学を登録することになる。
【００３３】
図４は、図１のローカル組版装置１０に設けたキーワードテーブル３０の説明図である。このキーワードテーブル３０には図４（Ａ）の喪主特定キーワードテーブル３０−１、図４（Ｂ）の続柄キーワードテーブル３０−２更に図４（Ｃ）の敬称キーワードテーブル３０−３が登録されている。
【００３４】
この３つのキーワードテーブルは抽出された死亡記事の中から喪主の氏名を抽出するために用いられる。例えば図４（Ａ）の喪主特定キーワードテーブル３０−１にあっては、キーワードとして「喪主は／が」があり、このキーワードに対し喪主の氏名を示す位置として接続位置が「後フラグ」であり、従ってこの検索は「キーワード」＋「喪主名」として喪主検索を行う。
【００３５】
次のキーワード「が喪主」は喪主名がキーワードの前にある接続位置「前フラグ」となるキーワードである。また図４（Ｂ）の続柄キーワードテーブル３０−２もキーワードとして「妻」「長男」が用いられ、これによって喪主とその続柄が特定できる。更に図４（Ｃ）の敬称キーワードテーブル３０−３にあっては、キーワード「氏」「さん」を検索し、その前の氏名で喪主を抽出することができる。
【００３６】
図５は、図１のローカル組版装置１０の記事情報テーブル３４の説明図である。記事情報テーブル３４は記事識別として死亡記事と関連記事に分けられ、それぞれについて人名、種別、死亡者ＩＤ、新聞社名、地域情報をヘッド情報として持ち、その後ろに記事本文が登録されている。尚、種別は死亡者または喪主のいずれかを示す。
【００３７】
図６は、ローカル組版装置１０の関連記事収集テーブル３５ａであり、図５の記事情報テーブル３４でセットされた死亡者ＩＤをインデックスとして検索人名、種別及び関連記事の収集を行う登録期間をセットしている。この関連記事収集テーブル３５ａはセンター装置１２の関連記事作成部４０において関連記事収集テーブル３５として生成され、死亡記事を収集した地域のローカル組版装置１０に対し、関連記事収集テーブル３５ａとして送られ、関連記事収集部２４による新聞組版の死亡記事以外の領域からの関連記事の収集を制御する。
【００３８】
図７は、図１のローカル組版装置１０に設けた紳士録データベース２８の説明図である。この紳士録データベース２８の例にあっては人名、住所、出身地、勤務地、卒業大学名所在地、卒業高校名所在地、卒業中学名所在地、卒業小学名所在地が登録されている。
【００３９】
このような紳士録データベース２８は各地域の新聞社において日常的なデータベース構築作業により作成されており、例えば地域社会における貢献記事などで一度掲載されると紳士録データベースに掲載された人物の情報が紳士録情報として登録される。この紳士録データベース２８を死亡者名をキーとして検索することで死亡者の地域に関連する情報を収集し、図３の死亡者情報テーブル３２における死亡者地域情報を生成することができる。
【００４０】
図８は、図１のセンター装置１２に設けられた会員情報テーブル４４の説明図である。会員情報テーブル４４には会員名、会員番号、住所、メールアドレス、死亡記事登録地域、死亡記事登録個人名の各情報が設けられている。死亡記事登録地域は会員が希望する死亡記事掲載地区を指定することができ、この地域は１または複数指定できる。
【００４１】
死亡記事登録個人名はもし死亡した時は記事の配信を必要とする個人名を予め１または複数指定しておく。尚、会員が特別な地域や人名を指定していない場合には会員の住所がデフォルトとして死亡記事登録地域に設定され、会員の住所の死亡記事が提供されることになる。
【００４２】
図９は、図１のセンター装置１２に設けた記事待ち情報テーブル４５の説明図である。この記事待ち情報テーブル４５は図６の関連記事収集テーブル３５ａに対応しており、関連記事収集テーブル３５を作成してローカル組版装置１０側に関連記事収集テーブル３５ａとして送信しておくことで、ローカル組版装置１０より関連記事収集部２４が検索人名をキーとして関連記事を収集し、収集した関連記事に死亡者ＩＤをつけてセンター装置１２に送信してくる。
【００４３】
このローカル組版装置１０からの関連記事の送信情報について記事待ち情報テーブル４５を参照することで、死亡者ＩＤから会員名及び会員番号を特定し、この会員が記事待ちであることを認識して待ち情報である死亡者の関連記事をテーブル登録された会員に編集して提供する。
【００４４】
図１０は、図１のセンター装置１２に設けている登録期限テーブル４６の説明図である。この登録期限テーブル４６は関連記事作成部４０で作成する関連記事収集テーブル３５に設定する登録期限を、死亡者は２週間、喪主は１週間と分けて登録しており、この登録期限が図６の関連記事収集テーブル３５ａにセットされ、ローカル組版装置１０側で登録期限にわたり関連記事を収集してセンター装置１２に送ってくるようになる。
【００４５】
図１１は、図１のセンター装置１２に設けているホームページ編集部３８による死亡記事編集画面の説明図である。図１１（Ａ）は会員はホームページにアクセスしてパスワード及びＩＤを登録した場合に、最初に表示される地域画面４８である。この地域画面４８において会員が希望する地域例えば都道府県のひとつをクリックすると、図１１（Ｂ）のような死亡記事ページ５０が表示される。
【００４６】
死亡記事ページ５０にはおくやみ情報として「死亡記事の内容」、出身地情報として「死亡者地域情報」が表示される。更にチェックボックスにより喪主情報や関連記事を選択することができる。図１１（Ｃ）は図１１（Ｂ）の死亡記事ページ５０の関連記事ありのチェックボックスをクリックして開いた関連記事ページ５２である。また図１１（Ｄ）は図１１（Ｂ）の死亡記事ページの喪主情報をクリックして開いた喪主情報ページ５４である。
【００４７】
この図１１のホームページの表示は会員が選択して地域につき全ての死亡記事を選択的に表示してもよいし、特に会員が図８の会員情報テーブル４４に死亡記事登録地域及び死亡記事登録個人名を予め指定している場合には、これらの指定情報に基づいて優先的なページ表示を行うこと、即ち会員専用のホームページを編集して表示することができる。
【００４８】
図１２は、図１のローカル組版装置１０で実行される組版処理のフローチャートである。この組版処理は次のようになる。
ステップＳ１：通常の組版処理を行う。
ステップＳ２：死亡記事の識別処理を行う。
ステップＳ３：関連記事の識別処理を行う。
ステップＳ４：死亡記事及び関連記事の送信を行う。
【００４９】
図１３は図１２のステップＳ２における死亡記事識別処理のフローチャートであり、図１のローカル組版装置１０に設けた死亡記事識別部２２により実行される処理である。この死亡記事識別は次の手順で行われる。
ステップＳ１：通常の組版処理で得られた組版記事を対象に図２（Ａ）に示したような死亡記事の開始位置を示す特殊符号９０を検索する。
ステップＳ２：特殊符号があればステップＳ３に進み、無ければ処理を終了する。
ステップＳ３：死亡記事の開始を示す特殊符号から死亡者の氏名の終わりを示す特殊符号、例えば図２（Ａ）の特殊符号９２により挟まれた部分から死亡者名を特定する。
ステップＳ４：図３のような死亡者情報テーブル３２に特定された死亡者名を登録する。
ステップＳ５：死亡者名をキーに紳士録データベース２８を検索する。
ステップＳ６：紳士録データベースに登録があればステップＳ７に進み、登録が無ければステップＳ８に進む。
ステップＳ７：死亡者情報テーブル３２に紳士録データベース２８から得られた死亡者地域情報例えば出身地、勤務地、出身校などを登録し、死亡者フラグを「有名」にセットする。
ステップＳ８：紳士録データベース２８に登録されていないことから、死亡者情報テーブル３２の死亡者フラグに「無名」をセットする。
ステップＳ９：続いて図２（Ａ）の死亡記事の開始を示す特殊符号９０から次の死亡記事の開始を示す特殊符号９０までの記事を抽出して、記事情報を作成する。
ステップＳ１０：記事情報から喪主を特定する喪主特定処理を行う。
ステップＳ１１：次の死亡記事の開始を示す特殊符号を検索する。
ステップＳ１２：次の死亡記事の開始を示す特殊符号があればステップＳ３に戻る。無ければ処理を終了する。
【００５０】
図１４は、図１３のステップ１０における喪主特定処理のフローチャートであり、次の手順に従って行われる。
ステップＳ１：図４（Ａ）の喪主特定キーワードテーブル３０−１のキーワードを使用して喪主特定キーワードを検索する。
ステップＳ２：図４（Ｂ）の続柄キーワードテーブル３０−２のキーワードを使用して続柄キーワードの検索を行う。
ステップＳ３：図４（Ｃ）の敬称キーワードテーブル３０−３のキーワードを使用して敬称キーワードの検索を行う。
ステップＳ４：ステップＳ１，Ｓ２，Ｓ３の検索結果から喪主名を特定する。
ステップＳ５：図３の死亡者情報テーブル３２に喪主名を登録する。
ステップＳ６：喪主名をキーに紳士録データベース２８を検索する。
ステップＳ７：紳士録データベース２８に登録があればステップＳ８に進み、登録がなければステップＳ９に進む。
ステップＳ８：図３の死亡者情報テーブル３２に紳士録データベース２８から得られた喪主地域情報として出身地、勤務地、大学、高校、中学などを登録し、喪主フラグを「有名」にセットする。
ステップＳ９：紳士録データベースに登録が無いことから、死亡者情報テーブル３２の喪主フラグを「無名」にセットする。
【００５１】
図１５は、図１２のステップＳ３における関連情報収集処理のフローチャートである。図１のローカル組版装置１０に設けた関連記事収集部２４により実行される。この関連記事収集処理は次の手順に従って行われる。
ステップＳ１：センター装置１２の関連記事作成部４０で作成されて送られてきている図６の関連記事収集テーブル３５ａを参照し、登録期限内か否かチェックする。期限内であればステップＳ２に進み、期限を超えていれば処理を終了する。
ステップＳ２：組版記事から図６の関連記事収集テーブル３５ａに登録している検索人名を検索する。
ステップＳ３：検索した人名があればステップＳ４に進み、無ければ処理を終了する。
ステップＳ４：図５の記事情報テーブル３４における記事識別である「関連記事」の欄に示すように記事情報を作成する。
ステップＳ５：関連記事情報をセンター装置１２に送信する。
【００５２】
図１６は、図１のセンター装置１２における編集処理のフローチャートであり、この編集処理は次の手順に従って実行される。
ステップＳ１：複数のローカル組版装置１０より定時締切で死亡記事及び関連記事の作成情報を受信する。
ステップＳ２：関連記事作成処理を行う。
ステップＳ３：ホームページ編集処理を行う。
ステップＳ４：メール処理を行う。
【００５３】
図１７は、図１６のステップＳ２における関連記事作成処理のフローチャートであり、図１のセンター装置１２に設けた関連記事作成部４０により次の手順に従って実行される。
ステップＳ１：新たに受信した図５の記事情報テーブル３４における死亡記事の情報から図６と同じ内容を持つ関連記事収集テーブル３５を作成する。即ち記事情報テーブル３４から得られた死亡者ＩＤをインデックスとして、死亡者人名を検索人名として登録し、種別はこの場合は死亡者であり、更に図１０の登録期限テーブル４６から得られた死亡者についての登録期限として２週間を登録する。
ステップＳ２：図３の死亡者情報テーブル３２に登録されている地域の新聞社に対しステップＳ１で作成された関連記事収集テーブル３５を送信する。
【００５４】
図１８は、図１６のステップＳ３におけるホームページ編集処理のフローチャートであり、図１のセンター装置１２に設けているホームページ編集部３８により次の手順に従って実行される。
ステップＳ１：ローカル組版装置１０側から受信した記事情報を識別判定する。
ステップＳ２：死亡記事であればステップＳ３に進み、関連記事であればステップＳ４に進む。
ステップＳ３：図３の死亡者情報テーブル３２の地域情報の示す地域に死亡者記事（記事本文）を編集して掲載し、死亡者ＩＤをセットする。
ステップＳ４：すでに掲載済みの死亡者ＩＤで識別される死亡記事に対し、関連情報を追加編集して掲載する。
【００５５】
図１９は、図１６のステップＳ４におけるメール処理のフローチャートであり、図１のセンター装置１２に設けたメール部４２で次の処理手順に従って実行される。
ステップＳ１：ローカル組版装置１０から受信した記事を識別判定する。
ステップＳ２：死亡記事であればステップＳ３に進み、関連記事であればステップＳ９に進む。
ステップＳ３：死亡者名により図８の会員情報テーブル４４を参照し、死亡者名に一致する死亡記事登録個人名を持つ会員情報を検索する。
ステップＳ４：会員情報があればステップＳ７に進み、なければステップＳ５に進む。
ステップＳ５：図８の会員情報テーブル４４を参照し、死亡地域情報に一致する死亡記事登録地域を持つ会員情報を検索する。
ステップＳ６：会員情報があればステップＳ７に進み、なければ処理を終了する。
ステップＳ７：図９の記事待ち情報テーブル４５に会員名、会員番号及び死亡者ＩＤを登録する。
ステップＳ８：編集記事の会員に対するメール送信を行う。
ステップＳ９：ステップＳ２で関連記事を判定した場合であり、関連記事の死亡者ＩＤにより図９の記事待ち情報テーブル４５を参照して記事待ち情報を検索する。
ステップＳ１０：記事待ち会員があればステップＳ８に進み、関連情報を記事待ちの会員に対しメール送信する。無ければ処理を終了する。
【００５６】
ここで本発明は図１のローカル組版装置１０を構成するコンピュータによるプログラムとして図１２〜図１５のフローチャートに示す処理を実行し、これがローカル組版装置１０側のプログラムの内容を表す。
【００５７】
一方、図１のセンター装置１２を構成するコンピュータは図１６〜図１９のフローチャートに従ったプログラムを実行する。そして本発明が対象とする死亡情報の収集は主にローカル組版装置１０を構成するコンピュータのプログラムの実行により実現されることになる。
【００５８】
図１における本発明のローカル組版装置１０及びセンター装置１２は、例えば図２０のようなコンピュータのハードウェア資源より実現される。図２０のコンピュータにおいて、ＣＰＵ１００のバス１０１にはＲＡＭ１０２、ハードディスクドコントローラ（ソフト）１０４、フロッピィディスクドライバ（ソフト）１１０、ＣＤ−ＲＯＭドライバ（ソフト）１１４、マウスコントローラ１１８、キーボードコントローラ１２２、ディスプレイコントローラ１２６、通信用ボード１３０が接続される。
【００５９】
ハードディスクコントローラ１０４はハードディスクドライブ１０６を接続し、本発明の死亡記事の識別、関連記事の収集、また死亡記事の編集といった処理を実行するプログラムをローディングしており、コンピュータの起動時にハードディスクドライブ１０６から必要なプログラムを呼び出して、ＲＡＭ１０２上に展開し、ＣＰＵ１００により実行する。
【００６０】
フロッピィディスクドライバ１１０にはフロッピィディスクドライブ（ハード）１１２が接続され、フロッピィディスク（Ｒ）に対する読み書きができる。ＣＤ−ＲＯＭドライバ１１４に対しては、ＣＤドライブ（ハード）１１６が接続され、ＣＤに記憶されたデータやプログラムを読み込むことができる。
【００６１】
マウスコントローラ１１８はマウス１２０の入力操作をＣＰＵ１００に伝える。キーボードコントローラ１２２はキーボード１２４の入力操作をＣＰＵ１００に伝える。ディスプレイコントローラ１２６は表示部１２８に対して表示を行う。通信用ボード１３０は無線を含む通信回線１３２を使用し、インターネット等のネットワークを介して他の装置との間で通信を行う。
【００６２】
尚、本発明は上記の実施形態に限定されずその目的と利点を損なうことのない適宜の変形を含む。また本発明は上記の実施形態に示した数値による限定は受けない。
【００６３】
ここで本発明の特徴をまとめて列挙すると次の付記のようになる。
（付記）
（付記１）
死亡記事識別部により、新聞組版から死亡記事の開始と終了を示す特殊記号を検索することで死亡記事を抽出する死亡記事識別ステップと、
関連記事収集部により、死亡記事から特定した死亡者名をキーに、前記新聞組版の他の記事領域、前記組版以降で所定期間に作成される他の新聞組版を検索して関連記事を抽出する関連記事収集ステップと、
編集部により、前記死亡記事及び関連記事を編集して公開する編集ステップと、を備えたことを特徴とする死亡記事収集方法。（１）
【００６４】
（付記２）
付記１記載の死亡記事収集方法に於いて、
前記死亡記事識別ステップは、死亡記事の人名により紳士録データベースを参照して死亡者に関連する出身地、勤務地、出身校を含む地域情報を特定し、
前記編集ステップは、前記死亡者の地域情報に基づき死亡記事を編集して公開することを特徴とする死亡記事収集方法。（２）
【００６５】
（付記３）
付記１記載の死亡記事収集方法に於いて、
前記死亡記事識別ステップは、地方新聞社の各々で作成された新聞組版を対象に死亡記事を抽出し、
前記編集ステップは、前記地方新聞者の新聞組版から抽出された死亡記事をセンターで収集することにより、編集して公開することを特徴とする死亡記事収集方法。
【００６６】
（付記４）
コンピュータに、
新聞組版から死亡記事の開始と終了を示す特殊記号を検索することで死亡記事を抽出する死亡記事識別ステップと、
前記死亡記事から特定した死亡者名をキーに、前記新聞組版の他の記事領域、前記組版以降で所定期間に作成される他の新聞組版を検索して関連記事を抽出する関連記事収集ステップと、
前記死亡記事及び関連記事を編集装置に送信して編集して公開させる送信ステップと、
を実行させることを特徴とするプログラム。
【００６７】
（付記５）
新聞組版から死亡記事の開始と終了を示す特殊記号を検索することで死亡記事を抽出する死亡記事識別部と、
前記死亡記事から特定した死亡者名をキーに、前記新聞組版の他の記事領域、前記組版以降で所定期間に作成される他の新聞組版を検索して関連記事を抽出する関連記事収集部と、
前記死亡記事及び関連記事を編集して公開させる編集部と、
を備えたことを特徴とする死亡記事収集装置。（３）
【００６８】
【発明の効果】
以上説明してきたように本発明によれば、新聞組版に死亡記事の開始と終了を示す特殊符号が付加されていることに着目し、この死亡記事の特殊符号を利用して死亡記事を組版情報から検索して自動収集し、会員専用のホームページやメールに編集して提供することができ、人的な作業を必要とすることなく、全国版及び地方版から死亡記事を自動収集して利用することができる。
【００６９】
また死亡記事に伴う追悼記事や特殊記事などの関連記事なども死亡者名をキーとした検索により自動収集してホームページ用またはメール用に編集して提供でき、単なる死亡記事にとどまらず死亡者本人に関連する一連の関連記事を提供して情報の質を高めることが出来る。
【００７０】
更に死亡記事の人名による紳士録データベースの検索により死亡者に関連する出身地、勤務地、出身校などの地域情報を特定し、この地域情報に基づき死亡記事を編集して提供することで、地域情報に密着した死亡記事及び関連記事を利用者に提供でき、死亡記事の利用性を大幅に高めることができる。
【図面の簡単な説明】
【図１】本発明による死亡記事収集装置の機能構成を示した説明図
【図２】本発明で処理する死亡記事の組版記事、新聞掲載記事及び関連記事の説明図
【図３】図１の死亡者情報テーブルの説明図
【図４】図１のキーワードテーブルの説明図
【図５】図１の記事情報テーブルの説明図
【図６】図１の関連記事収集テーブルの説明図
【図７】図１の紳士録データベースの説明図
【図８】図１の会員情報テーブルの説明図
【図９】図１の記事待ち情報テーブルの説明図
【図１０】図１の登録期限テーブルの説明図
【図１１】図１で編集されたホームページの説明図
【図１２】本発明における組版処理のフローチャート
【図１３】図１２における死亡記事識別処理のフローチャート
【図１４】図１３における喪主特定処理のフローチャート
【図１５】図１２における関連記事収集処理のフローチャート
【図１６】本発明による編集処理のフローチャート
【図１７】図１６における関連記事作成処理のフローチャート
【図１８】図１６におけるホームページ編集処理のフローチャート
【図１９】図１６におけるメール処理のフローチャート
【図２０】図１のローカル組版装置及びセンター装置に使用されるコンピュータのハードウェア環境の説明図
【符号の説明】
１０：ローカル組版装置
１２：センター装置
１４：ネットワーク
１６：インターネット
１８：会員装置
２０：組版処理部
２２：死亡記事識別部
２４：関連記事収集部
２６，３６：送受信部
２８：紳士録データベース
３０：キーワードテーブル
３２：死亡者情報テーブル
３４：記事情報テーブル
３５：関連記事収集テーブル
３８：ホームページ編集部
４０：関連記事作成部
４２：メール部
４４：会員情報テーブル
４５：記事待ち情報テーブル
４６：登録期間テーブル
４８：地域画面
５０：死亡記事ページ
５２：関連記事ページ
５４：喪主情報ページ
５６：組版死亡記事
５８：掲載死亡記事
６０：掲載関連記事
９０，９２：特殊記号
【図１】
2004280347.tif 000003
【図２】
2004280347.tif 000004
【図３】
2004280347.tif 000005
【図４】
2004280347.tif 000006
【図５】
2004280347.tif 000007
【図６】
2004280347.tif 000008
【図７】
2004280347.tif 000009
【図８】
2004280347.tif 000010
【図９】
2004280347.tif 000011
【図１０】
2004280347.tif 000012
【図１１】
2004280347.tif 000013
【図１２】
2004280347.tif 000014
【図１３】
2004280347.tif 000015
【図１４】
2004280347.tif 000016
【図１５】
2004280347.tif 000017
【図１６】
2004280347.tif 000018
【図１７】
2004280347.tif 000019
【図１８】
2004280347.tif 000020
【図１９】
2004280347.tif 000021
【図２０】
2004280347.tif 000022